(57)【要約】【課題】  水中に廃棄物処分場を構築する場合であっても、容易に遮水性を確認したり、補修したりすることができる廃棄物処分場を提供すること。【解決手段】  水底６を掘削して構築する廃棄物処分場であって、円筒形に構築した連続地中壁１と、前記連続地中壁によって形成される円筒部を途中で遮断する底板２と、前記底板の下方の地下水を排水するためのディープウェル３と、からなり、下端が難透水層４１に達するまで前記連続地中壁を構築し、難透水層と前記底板の間に前記ディープウェルを配置したことを特徴とするものである。【選択図】図１
2005137962.tif 000002
【特許請求の範囲】
【請求項１】
水底を掘削して構築する廃棄物処分場であって、
前記廃棄物処分場の外周を形成する連続地中壁と、
前記連続地中壁の内側に構築する底板と、
前記底板の下方の地下水を排水するためのディープウェルと、
からなる、廃棄物処分場。
【請求項２】
水底を掘削して構築する廃棄物処分場であって、
円筒形に構築した連続地中壁と、
前記連続地中壁によって形成される円筒部を途中で遮断する底板と、
前記底板の下方の地下水を排水するためのディープウェルと、からなり、
下端が難透水層に達するまで前記連続地中壁を構築し、難透水層と前記底板の間に前記ディープウェルを配置したことを特徴とする、
廃棄物処分場。
【発明の詳細な説明】
【技術分野】
【０００１】
本発明は、廃棄物を埋め立てるための廃棄物処分場に関するものである。
【背景技術】
【０００２】
従来から廃棄物処分場は陸上に構築されることが多く、地盤を広く、浅く掘削し、掘削面に遮水シートを敷設して、内部に埋め立てた廃棄物の成分が処分場の外に漏洩しないようにしていた。
一方、このような廃棄物処分場は、広大な敷地を必要とするため土地の確保が難しい。このため、特許文献１に開示されているように、地中に円筒形の連続地中壁ａを構築し、その内側を深く掘削して廃棄物処分場とする方法もある。この方法では、連続地中壁ａを地中深部にある不透水層ｅまで構築することで、連続地中壁ａの内部と外部の水の出入りを遮断する。そして、連続地中壁ａの内部の内水位ｄを外部の地下水位ｃより低くすることによって、連続地中壁ａに過剰な応力が発生しないようにしつつ、内部に埋め立てた汚染物質が外側に流出しないようにする。
また、新たに陸上に廃棄物処分場を構築する場合、周辺住民の理解を得ることが難しくなりつつあるため、海上に廃棄物処分場を構築しようとする計画が増えている。しかし、現時点では水上に廃棄物処分場を構築する方法として、確立した方法があるとはいえない。
【特許文献１】特開平３−６８４８５号公報
【発明の開示】
【発明が解決しようとする課題】
【０００３】
前記した従来の廃棄物処分場にあっては、次のような問題点がある。
＜１＞水底には岩礁や珊瑚が露出していることが多く、遮水シートを敷設する方法を水中に適用した場合、施工中又は施工後に遮水シートが損傷するおそれがある。また、遮水シートを作業船上で溶着することが必要になるが、船上では品質の高い溶着をおこなうことが難しい。また、水中に遮水シートを敷設した場合、漏水の検査をおこなうことができない。
＜２＞連続地中壁ａで囲まれた内側に内水を貯留した状態で水中コンクリートを打設し、底板ｂを構築する方法では、水密性の高い底板ｂを構築することが難しい。このため、連続地中壁ａの端部は不透水層ｅに到達する深部まで構築する必要があり、工費及び工期が増加する。
＜３＞遮水基盤としては、粘性土層の場合は海面処分場の全域で厚さ５ｍ以上、透水係数がｋ＝１×１０−５（cm/sec）以下（透水係数がｋ＝１×１０−６（cm/sec）の粘性土層の場合は層厚１．６ｍ以上）、岩盤の場合は海面処分場の全域でルジオン値１以下とする必要がある。海面処分場全域で前記遮水基盤を確保するためには連続地中壁が深くなり、工費及び工期が増加する。
【課題を解決するための手段】
【０００４】
上記のような課題を解決するために、本発明の廃棄物処分場は、水底を掘削して構築する廃棄物処分場であって、前記廃棄物処分場の外周を形成する連続地中壁と、前記連続地中壁の内側に構築する底板と、前記底板の下方の地下水を排水するためのディープウェルと、からなるものである。詳しくは、水底を掘削して構築する廃棄物処分場であって、円筒形に構築した連続地中壁と、前記連続地中壁によって形成される円筒部を途中で遮断する底板と、前記底板の下方の地下水を排水するためのディープウェルと、からなり、下端が難透水層に達するまで前記連続地中壁を構築し、難透水層と前記底板の間に前記ディープウェルを配置したことを特徴とするものである。
【発明の効果】
【０００５】
本発明の廃棄物処分場は、上記した課題を解決するための手段により、次のような効果の少なくとも一つを得ることができる。
＜１＞強固な構造体である連続地中壁と底板によって廃棄物処分場を構築するため、損傷し難く、表面的に損傷したとしても極端に遮水性能が低下することがない。
＜２＞廃棄物処分場の内部を、一旦、気中状態にすることが可能なため、水中に構築する場合であっても、容易に遮水性を確認したり、補修したりすることができる。
＜３＞ディープウェルを配置して底板の下方の過剰な間隙水を排除することで、底板に過剰な応力が発生することを抑えることができる。この結果、経済的に底板を構築でき、廃棄物処分場の内部から汚染水が漏洩した場合もディープウェルで回収することができる。
【発明を実施するための最良の形態】
【０００６】
以下、図面を参照しながら本発明の実施の形態について説明する。
【０００７】
＜１＞廃棄物処分場
廃棄物処分場は、事務所や建設現場や一般家庭などから排出される廃棄物を埋め立てて処分するための空間である。
本発明の廃棄物処分場は、廃棄物処分場の外周を形成する連続地中壁１と、連続地中壁１の内側に構築する底板２と、底板２の下方の地下水を排水するためのディープウェル３によって構成する。
【０００８】
＜２＞連続地中壁
連続地中壁１は、地盤に溝を掘削して、掘削した溝に構築する壁である。本発明では、連続地中壁１で廃棄物処分場の外殻を形成する。例えば、円筒形、多角柱形に連続地中壁１を構築することができる。
連続地中壁１は公知の方法で構築することができるが、例えば地中を掘削して形成した溝に、鉄筋籠を挿入し、コンクリートを充填することによって構築する。このように構築した鉄筋コンクリート製の連続地中壁１は、遮水性に優れ、透水係数を１．０×１０−６（ｃｍ／ｓ）以下にすることが可能である。
本発明の連続地中壁は、地中深部に位置する不透水層４２まで到達させる必要はなく、泥岩などの透水性の低い難透水層４１まで到達させればよい。
【０００９】
＜３＞底板
底板２は、連続地中壁１で囲繞された空間の底蓋である。底板２は、連続地中壁１によって形成される貫通空間を途中で遮断する位置に構築する。すなわち、難透水層４１に挿入した連続地中壁１の下端より上方の位置に底板２を構築する。
底板２は、水中不分離コンクリートによって仮底板２１を構築した後に、連続地中壁１の内側の内水を排水して、気中状態で構築する。このため、遮水性能の高い高品質の底板２を構築することができる。例えば、鉄筋コンクリートによって底板２を構築する。
【００１０】
＜４＞ディープウェル
ディープウェル３は、底板２の下方から作用する過剰な水圧を排除するために配置する。本発明では、連続地中壁１を難透水層４１までしか挿入しない場合があるため、地下水が仮底板２１の下方にまで浸透し、仮底板２１に大きな水圧を作用させるおそれがある。このような状態では、気中状態で底板２を構築することが難しくなるため、連続地中壁１に囲まれた内側から仮底板２１を貫通するようにして配置したディープウェル３によって、仮底板２１の下方の地下水位５１を低下させ仮底板２１に過剰な水圧が作用しないようにする。
【実施例】
【００１１】
以下、図面を参照しながら、廃棄物処分場の構築方法の実施例について説明する。
【００１２】
＜１＞連続地中壁の構築
連続地中壁１を構築する水中に堤体６１を構築する。堤体６１は、水底６に砕石や土砂を盛り立てて構築するが、陸地が使用できる部分は堤体６１を構築する必要はない。また、築堤を行う場合は、必要に応じて水底６を地盤改良し、すべり破壊などが起きないようにする。
堤体６１の表面又は地表面から難透水層４１に向けて溝を掘削する。溝の幅は、所望する連続地中壁１の厚さによって任意に設定することができるが、例えば壁幅１〜２ｍ程度の溝を掘削する。掘削中は溝内を泥水で満たすなどして孔壁の崩壊を防ぐ。
【００１３】
＜２＞掘削
連続地地中壁１で囲まれた内側の地盤を水上から掘削する。この掘削は水中掘削となる。例えばクラムシェルなどを使用して内部の掘削をおこなう。
所定の深度まで地盤を掘削した後に、掘削底面上に水中不分離コンクリートを打設して仮底板２１を構築する。
【００１４】
＜３＞底板の構築
仮底板２１の下方の地下水位５１を低下させるためにディープウェル３を配置する。ディープウェル３は底板２と難透水層４１の間に配置し、連続してこの範囲の地下水を排水させる。難透水層４１から浸透してくる地下水の流量より、ディープウェル３によって排水する流量の方が大きければ、地下水位５１は徐々に低下する。
地下水位５１を低下させ、仮底板２１に作用する水圧を減少させた後に、連続地中壁１に囲まれた内側の内水を排水して仮底板２１を気中に露出させる。この気中状態で、仮底板２１上に鉄筋を組み、コンクリートを打設して底板２を構築する。底板２と連続地中壁１の接合部は、気中作業によって確実に施工し、接合部の止水性を確保する。
また、気中に露出した連続地中壁１の壁面を検査したり、補修したりすることが容易におこなえる。
【００１５】
＜４＞廃棄物処分場の利用
廃棄物処分場が完成した後は、長期にわたって廃棄物を内部に埋め立てることになる。このため、ディープウェル３によって底板２より下方の過剰な間隙水の排出を続ければ、底板２に過剰な応力が発生して破損することがない。また、埋め立てた廃棄物から発生した汚染水が底板２を透過して漏洩した場合にも、ディープウェル３が汚染水を吸引して排出することができるため、廃棄物処分場の外側の地盤及び地下水を汚染することがない。
また、底板２を構築した後にディープウェル３を撤去し、連続地中壁１で囲まれた内部に水を注水してもよい。連続地中壁１の内側と外側の水圧差を小さくすることにより、連続地中壁１や底板２に過剰な応力を発生させることを抑えることができる。また、内部に貯留した内水の水位を水面５より低くすることで、廃棄物処分場内部の汚染水が外側に漏洩することを防ぐことができる。
【図面の簡単な説明】
【００１６】
【図１】本発明の廃棄物処分場の実施例の説明図。
【図２】従来の廃棄物処分場の実施例の説明図。
【符号の説明】
【００１７】
１・・・連続地中壁
２・・・底板
３・・・ディープウェル
４１・・難透水層
６・・・水底
【図１】
2005137962.tif 000003
【図２】
2005137962.tif 000004